(57)【要約】  本発明はカラー塗料の脱ガスを改善する方法と装置に関する。本方法において、カラー塗料はカラー塗料貯蔵槽（１）から供給手段（２）によりカラー塗料からガスを分離する手段を備える脱ガス装置（４）に送られる。前記脱ガス装置に至る前の地点において前記脱ガス装置に供給されるカラー塗料の流れに振動運動が付与され、これにより脱ガス装置に供給されるカラー塗料の気泡が集積し、及び/又は気泡のサイズが増加する。
2009516581.tif 000002
【特許請求の範囲】
【請求項１】
カラー塗料の脱ガスを改善する方法であって、
カラー塗料はカラー塗料貯蔵槽から供給手段によりカラー塗料からガスを分離する手段を備える脱ガス装置に送られ、
前記脱ガス装置に至る前の地点において前記脱ガス装置に供給されるカラー塗料の流れに振動運動が付与され、これにより脱ガス装置に供給されるカラー塗料の気泡が集積し、及び/又は気泡のサイズが増加するようにしたことを特徴とするカラー塗料の脱ガスを改善する方法。
【請求項２】
振動運動は超音波周波数でカラー塗料に付与されることを特徴とする請求項1に記載の方法。
【請求項３】
20から60KHzの範囲の超音波周波数が使用されることを特徴とする請求項２に記載の方法。
【請求項４】
振動運動を与える処理は標準大気圧、標準大気圧より低圧、又は標準大気圧より高圧の圧力でカラー塗料に対して実行される請求項１乃至３のいずれかの請求項に記載の方法。
【請求項５】
カラー塗料中に含まれるガスを除去する装置であって、
カラー塗料をカラー塗料貯蔵槽からカラー塗料からガスを分離する手段を備える脱ガス装置に送る手段を備え、
脱ガス装置へ供給されるカラー塗料の流れの中で振動運動を生じさせ、脱ガス装置へ供給されるカラー塗料中において気泡を集積し、及び/又は気泡サイズを大きくする手段を備え、当該手段はカラー塗料の供給パイプの脱ガス装置に至る前の位置配置されていることを特徴とするカラー塗料中に含まれるガスを除去する装置。
【請求項６】
前記振動運動を生じさせる手段は超音波周波数で振動運動を生じさせる請求項５に記載の装置。
【発明の詳細な説明】
【技術分野】
【０００１】
本発明は、カラー塗料の改良された脱ガス方法とその装置に関する。
【背景技術】
【０００２】
この種の処理産業において、空気のようなガスを処理に使用する液体と成分と混合する場合、種々の問題を引き起こす。特に、紙又は繊維状ウェブ材料を塗装する場合、カラー塗料中のガス及び気泡は塗装する紙の表面を荒くする結果をもたらし、塗料が全くない領域でさえも、そのような結果をもたらす。この問題はある種の色では他の色よりもより大きな問題となり、特に、他よりも多量のガスを蓄積するカラー塗料ではより大きな問題となる。例えば、タルクを含むカラー塗料は代表的にはタルクの性質により多量のガスを含んでいる。この問題の重要性は更に使用される塗装方法により影響される。例えば、カーテンコーティングにおいては、塗料のガス含有量は多くて０−０．２５体積％である。そうでないと、拘束されたガスは、紙や板のような塗装される材料において塗装されない領域を形成することになる。
【０００３】
多層カーテンコー手イングにおいては、脱ガスの重要性が更に大きくなる。従って、例えば、もし、３又は４の塗膜層が存在すれば、各層を形成するのに使用される塗料は出来るだけ注意深く脱ガスがなされなければならない。
【０００４】
カラー塗料中に混合又は溶解しているガスを除去するために、例えば、種々の真空脱ガス器が開発され、これらには真空容器の内部に設けられた回転ドラムを備える実例があり、このドラム内に塗料が供給されると、塗料が遠心力によりドラムの内壁を上昇し、ドラムから放出され、薄いフィルムが真空容器の内壁に衝突する。この従来の真空脱ガス器の持つ問題は、脱ガスの効率が不十分で、特に、粘性の高い材料において問題がある。これは、高い粘性のカラー塗料中に含まれる少量の気泡が、絶対圧の下の、高い真空度の下でさえ、その特有の上昇速度により、破壊又は消滅するのに十分な程度に大きくならないという事実によるものである。真空度を高めることによりこの問題を取り除く試みがなされてきたが、その結果として、カラー塗料中に使用されている溶媒、例えば水、が容易に極度に蒸発し、その結果、カラー塗料の固体含有濃度が増加することとなる。使用される他の方法は、処理時間を増加することであるが、その場合、脱ガス器の運転容量が減少し、このことはより多くの脱ガス器を必要とするか、或いは規模を大きくする必要がある。
【発明の開示】
【発明が解決しようとする課題】
【０００５】
本発明による方法と装置の目的は、カラー塗料中に含まれるガスを従来のものより良好に除去することを可能とする改良された脱ガスの解決法を与えることである。
【課題を解決するための手段】
【０００６】
上記目的を達成するため、本発明による方法は、脱ガス装置に供給されるカラー塗料のフローに脱ガス装置の前の段階において振動運動が付与され、これにより脱ガス装置に供給されるカラー塗料中の気泡を集積させ、或いは大きくすることを特徴とするものである。
【０００７】
本発明による装置は、部分的には、脱ガス装置に供給されるカラー塗料中の気泡を集積させ、及び/又はサイズを大きくするため、脱ガス装置に供給されるカラー塗料に振動運動を造り出す手段を備え、上記手段はカラー塗料の供給パイプ中の脱ガス装置に至る前の位置に位置することを特徴とする。振動手段は、好ましくは、カラー塗料に非接触の状態、例えば、供給パイプの外面に置かれることが好ましい。
【発明を実施するための最良の形態】
【０００８】
本発明は、以下に図面を参照としてより詳細に説明されるが、唯一の図面はカラー塗料の脱ガス装置を模式的に示すものである。
【０００９】
本装置はカラー塗料供給手段２、例えばポンプを備え、このポンプはカラー塗料を貯蔵槽１から既知の脱ガス装置４へ向かう流れを生じさる。ここに示された実施例では、脱ガス装置は真空源５に接続された真空-作動装置である。脱ガス装置４は、好ましくは、絶対圧で略1KPa-15KPaの圧力が与えられる。もし、より低い絶対圧力がチャンバー内に与えられると、このことは、一方において、カラー塗料中に含まれる溶媒の蒸発点が下がり、脱ガスされた結果、カラー塗料の性質が変化するという危険があることを意味する。一方、もし、高い絶対圧力がチャンバー内に与えられると、このことは、カラー塗料中の気泡を大きくして真空手段によって除去するのに必ずしも十分とは言えなくなる。真空容器中の絶対圧で略1KPa-15KPaの圧力は好ましい高さである。使用される絶対圧力の下限を上げることにより、脱ガス中にカラー塗料が蒸発しないことがより良好に保証される。
【００１０】
符号６は、カラー塗料の流れを脱ガス処理から送出するための送出ポンプであり、このポンプの手段により、カーテンコーターのような適用される場所に供給される。
【００１１】
本発明によれば、振動運動が脱ガス装置に送られるカラー塗料の流れに与えられ、この振動運動は、例えば、超音波振動子３の手段によるものであり、ポンプ２から脱ガス装置４に連なるパイプ７に関連して、好ましくは、パイプの表面に配置され、振動子が直接にカラー塗料に接触しないようにしている。振動周波数は、好ましくは、約16KHzから約60KHzの範囲であり、この周波数はカラー塗料中の気泡をより大きくするように働き、これによって、例えば真空作動脱ガス器４により除去し易くなる、或いは十分大きくなったときに破壊するようになる。振動を与える処理により、脱ガスの効率は既知の脱ガス装置に比較して著しく増加する。振動を与える処理は、超音波周波数より低い周波数においても行うことができる。
【００１２】
カラー塗料の振動処理は、標準大気圧より低い圧力の下でも、高い圧力の下でも、また、標準大気圧の下においてでも可能である。大気圧より高い圧力は、例えば、供給ポンプ２によって達成され、低い圧力は、例えば、脱ガス装置４の低圧を利用することにより達成される。
【図１】
2009516581.tif 000003
【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
カラー塗料の脱ガスを改善する方法であって、
カラー塗料はカラー塗料貯蔵槽から供給手段によりカラー塗料からガスを分離する手段を備える脱ガス装置に送られ、
前記脱ガス装置に至る前の位置において前記脱ガス装置に供給される供給パイプ中のカラー塗料の流れに振動運動が付与され、これにより脱ガス装置に供給されるカラー塗料の気泡が集積し、及び/又は気泡のサイズが増加するようにしたことを特徴とするカラー塗料の脱ガスを改善する方法。
【請求項２】
振動運動は超音波周波数でカラー塗料に付与されることを特徴とする請求項1に記載の方法。
【請求項３】
20から60KHzの範囲の超音波周波数が使用されることを特徴とする請求項２に記載の方法。
【請求項４】
振動運動を与える処理は標準大気圧、標準大気圧より低圧、又は標準大気圧より高圧の圧力でカラー塗料に対して実行される請求項１乃至３のいずれかの請求項に記載の方法。
【請求項５】
カラー塗料中に含まれるガスを除去する装置であって、
カラー塗料をカラー塗料貯蔵槽からカラー塗料からガスを分離する手段を備える脱ガス装置に送る手段を備え、
脱ガス装置へ供給されるカラー塗料の流れの中で振動運動を生じさせ、脱ガス装置へ供給されるカラー塗料中において気泡を集積し、及び/又は気泡サイズを大きくする手段を備え、当該手段はカラー塗料の供給パイプの脱ガス装置に至る前の位置配置されていることを特徴とする装置。
【請求項６】
前記振動運動を生じさせる手段は超音波周波数で振動運動を生じさせる請求項５に記載の装置。
【国際調査報告】
2009516581.tif 000004
2009516581.tif 000005
2009516581.tif 000006